(57)【要約】【課題】噴射された液体が充分に正確な幕状となるようにするノズル装置を提供すること。【解決手段】液体Ｗが供給される供給パイプ１の下部の長さ方向に液体Ｗが幕状に噴射されるスリット形のノズル口５が設けられている。供給パイプ１とノズル口５との間に、スリット形の補助ノズル口３が設けられている。ノズル口５と補助ノズル口３との間に、補助ノズル口３から噴射された液体Ｗを集合させる液体集合部４が設けられている。【選択図】  図１
2010167396.tif 000002
【特許請求の範囲】
【請求項１】
液体が供給される供給パイプの下部に、該供給パイプの長さ方向に前記液体を幕状に噴射させるスリット形のノズル口を備えたノズル装置において、
前記供給パイプと前記ノズル口との間にスリット形の補助ノズル口が設けられ、前記ノズル口と該補助ノズル口との間に該補助ノズル口から噴射された液体を集合させる液体集合部が設けられていることを特徴とするノズル装置。
【請求項２】
前記液体集合部は断面形状が前記ノズル口に向けて幅狭となるテーパ形であることを特徴とする請求項１に記載のノズル装置。
【請求項３】
前記供給パイプは角筒形であることを特徴とする請求項１または２に記載のノズル装置。
【請求項４】
前記供給パイプは上面が一方の端面側から他方の端面側に向けて下降傾斜された４角筒形とされて一方の端面に液体の供給源に接続される円筒形の接続口が設けられ、接続口は軸中心線が供給パイプの長さ方向の中央線が供給パイプの上面を通る点で交差する位置に設定されていることを特徴とする請求項３に記載のノズル装置。
【発明の詳細な説明】
【技術分野】
【０００１】
本発明は、液体を幕状に噴射するノズル装置に関する。
【背景技術】
【０００２】
最近、各種機器の洗浄の分野において、洗浄液である液体の噴射を幕状にすることで、洗浄対象である各種機器の構造によっては洗浄機能が飛躍的に高められることが認識されるようになってきている。この結果、液体を正確に幕状に噴射する技術の開発が要望されるようになってきている。
【０００３】
従来、液体を正確に幕状に噴射することを指向した技術としては、例えば、以下に記載のものが知られている。
【０００４】
特許文献１には、液体が供給される供給パイプの下部の長さ方向に液体が幕状に噴射されるスリット形のノズル口が設けられ、供給パイプの内部にノズル口に対面するように邪魔板を設けたノズル装置が記載されている。
【０００５】
特許文献１に係るノズル装置は、供給パイプに供給されて供給方向に付勢されている液体を邪魔板で分散してノズル口に均等に送り込むことで、液体を正確に幕状に噴射するものである。
【先行技術文献】
【特許文献】
【０００６】
【特許文献１】特開２００８−２３７７７３号公報
【発明の概要】
【発明が解決しようとする課題】
【０００７】
特許文献１に係るノズル装置では、ノズル口を噴射方向に長さが確保された薄溝筒形としているものの、ノズル口から噴射される液体の一部が飛散してしまうため、噴射された液体が充分に正確な幕状にならないという問題点がある。
【０００８】
本発明は、このような問題点を考慮してなされたもので、噴射された液体が充分に正確な幕状となるノズル装置を提供することを課題とする。
【課題を解決するための手段】
【０００９】
前述の課題を解決するため、本発明に係るノズル装置は、特許請求の範囲の各請求項に記載の手段を採用する。
【００１０】
即ち、請求項１では、液体が供給される供給パイプの下部に、該供給パイプの長さ方向に前記液体を幕状に噴射させるスリット形のノズル口を備えたノズル装置において、
前記供給パイプと前記ノズル口との間にスリット形の補助ノズル口が設けられ、前記ノズル口と該補助ノズル口との間に該補助ノズル口から噴射された液体を集合させる液体集合部が設けられていることを特徴とする。
【００１１】
この手段では、補助ノズル口から幕状に噴射された液体と飛散した液体とを一旦液体集合部で集合させてからノズル口から噴射させることで、補助ノズル口で噴射方向に付勢された液体をさらにノズル口に向けて集合させて整流する。
【００１２】
また、請求項２では、請求項１のノズル装置において、液体集合部は断面形状がノズル口に向けて幅狭となるテーパ形であることを特徴とする。
【００１３】
この手段では、液体をテーパ形に沿って無理なくノズル口に向けて集合させる。
【００１４】
また、請求項３では、請求項１または２のノズル装置において、供給パイプは角筒形であることを特徴とする。
【００１５】
この手段では、供給パイプに供給された液体の旋回等の無用な流れが起きるのを防止する。
【００１６】
また、請求項４では、請求項３のノズル装置において、供給パイプは上面が一方の端面側から他方の端面側に向けて下降傾斜された４角筒形とされて一方の端面に液体の供給源に接続される円筒形の接続口が設けられ、接続口は軸中心線が供給パイプの長さ方向の中央線が供給パイプの上面を通る点で交差する位置に設定されていることを特徴とする。
【００１７】
この手段では、供給パイプの一端のみから液体が供給され、液体の供給圧力の減少する供給パイプの他端側に向けて上面の傾斜で容積が低減されるとともに、接続口が供給パイプの上面に中央付近に向けられることで、供給された液体が供給パイプの内部で均等に分散される。
【発明の効果】
【００１８】
本発明に係るノズル装置は、補助ノズル口から幕状に噴射された液体と飛散した液体とを一旦液体集合部で集合させてからノズル口から噴射させることで、補助ノズル口で噴射方向に付勢された液体をさらにノズル口に向けて集合させて整流するため、噴射された液体を充分に正確な幕状とすることができる効果がある。
【図面の簡単な説明】
【００１９】
【図１】本発明に係るノズル装置の構成を示す断面図である。
【図２】図１の要部の拡大平面図である。
【図３】本発明に係るノズル装置の構成を示す側面図である。
【図４】ノズル装置の構成を示す斜視図である。
【発明を実施するための形態】
【００２０】
以下、本発明に係るノズル装置を実施するための形態を図面に基づいて説明する。図１は、本発明に係るノズル装置の構成を示す断面図である。図２は、図１の要部の拡大平面図である。この図２において、供給パイプ１の底面に形成された補助ノズル口３を示している。図３は、本発明に係るノズル装置の構成を示す側面図である。図４は、ノズル装置の構成を示す斜視図である。この図４において、ノズル装置と、整列されて水平方向に搬送される食器Ｄとの位置関係も示している。
【００２１】
この形態では、整列されて水平方向に搬送される食器Ｄに対して上方から洗浄液Ｗを噴射する食器洗浄装置に備えられるものを示してある。
【００２２】
図１〜図４に示すように、本発明に係るノズル装置は、耐腐食性を有するステンレス材等で形成された供給パイプ１と、供給パイプ１の一端に設けられた接続口２と、供給パイプ１の底面に形成された補助ノズル口３と、供給パイプ１の下に設けられた液体集合部４と、液体集合部４の下に設けられたノズル口５とから構成されている。
【００２３】
供給パイプ１は、接続口２から内部に洗浄液Ｗが供給されるもので、長方形の上面１１，下面１２と台形の側面１３，１４と長方形の端面１５，１６とで囲まれた４角錐筒形に形成され、上面１１が一方の端面１５側から他方の端面１６側に向けて下降傾斜されている。端面１５には、接続口２が設けられる。下面１２には、補助ノズル口３が設けられる。ここで、上面１１、および側面１３，１４は、１枚の板から板金加工により一体に形成され、側面１３，１４は、溶接（またはネジ止め）により下面１２に接続されている。なお、上面１１、および側面１３，１４は、それぞれの形状に形成され、溶接により接続されるようにしてもよい。
また、供給パイプ１は、食器Ｄの搬送方向に直交する幅方向に水平に配置される（図４参照）。
【００２４】
接続口２は、洗浄液Ｗの供給源から配設された管またはチューブ等を接続するためのもので、短円筒形に形成されて供給パイプ１の一方の端面１５の外側に取付けられている。この接続口２は、軸中心線Ｘが供給パイプ１の長さ方向の中央線Ｙが上面１１を通る点で交差する位置に設定されている。即ち、接続口２の中心の高さは、供給パイプ１の長さ方向の中央線Ｙと上面１１と交差する点と同じ高さにある（図３参照）。これにより、供給パイプ１中に洗浄液Ｗが均等に供給され、供給パイプ１の内部で旋回等の無用な流れが起きるのを防止することが可能である。
【００２５】
補助ノズル口３は、供給パイプ１に供給された洗浄液Ｗを液体集合部４に導入するためのもので、供給パイプ１の下面１２の幅方向の中央部に長さ方向に沿ってスリット形に切抜き形成されている。この補助ノズル口３については、スリット幅ａを下方に位置するノズル口５のスリット幅ｂよりも大きくすることで、供給パイプ１の内部での洗浄液Ｗの滞溜，還流の形成を避けることができる。なお、図２に詳細に示すように、補助ノズル口３の形成の際に供給パイプ１の下面１２に一定間隔で未切抜き部１７を設けることで、補助ノズル口３が洗浄液Ｗの通過圧力で振動して異音を発生するのを防止することができる。
【００２６】
液体集合部４は、補助ノズル口３から噴射された洗浄液Ｗを集合させるもので、供給パイプ１の下面１２に取付けられた長方形の側板４１，４２と３角形の端板４３，４４とで囲まれた３角筒形に形成されている。側板４１，４２は、補助ノズル口３に向けて幅広となりノズル口５に向けて幅狭となるテーパ形を形成している（図１参照）。この液体集合部４の上端は、供給パイプ１の下面１２の幅より小さく形成されている。また、側板４１，４２の上端に板金加工により水平方向に折り曲げ部を形成し、この折り曲げ部を、供給パイプ１の下面１２に接続される。これにより、液体集合部４が強固に取り付けられる。
【００２７】
ノズル口５は、液体集合部４に集合された洗浄液Ｗを食器Ｄに向けて噴射するもので、液体集合部４の下部に取付けられた長方形の側板５１，５２と所定間隔に設けられた小片形のスペーサ５３とでスリット形に形成されている。この例において、側板５１，５２の長さ方向の両端部と中央部にスペーサ５３が設けられている。スペーサ５３は、側板５１，５２の長さ方向の両端部と中央部とに挟み込まれて洗浄液Ｗが通過する精密な隙間を形成している（図１，図３参照）。このノズル口５は、特許文献１に係るノズル装置のノズル口と同様に、薄溝筒形に形成されて噴射方向にある程度の長さｃが確保されている（図１参照）。また、例において、側板５１，５２が下端（排出口）において、それぞれ外側へ水平方向に折り曲げ部を設け、即ち、側板５１，５２がＬ字形に形成される。これにより、ノズル口５から噴射される洗浄液Ｗの周辺への飛散を抑えることができる。
【００２８】
この形態によると、洗浄液Ｗは、接続口２から供給パイプ１の内部に供給され、４角錐筒形の供給パイプ１の内部で旋回等の無用な流れが起きるのを防止されながら容積の減少で供給圧力を一定に保持される。洗浄液Ｗの供給圧力の保持には、本発明者の実験によれば、前述の接続口２の取付けの位置が最も有効であることが確認されている。
【００２９】
供給パイプ１に供給され内部で一定の供給圧力で均等に分散された洗浄液Ｗは、スリット形の補助ノズル口３から幕状に噴射される。即ち、供給パイプ１の内部で供給方向に付勢されている洗浄液Ｗを最終的な噴射方向であるノズル口５の方向へ方向変換する。
【００３０】
補助ノズル口３から幕状に噴射された大部分の洗浄液Ｗと一部の飛散した洗浄液Ｗとは、液体集合部４の内部で集合される。このとき、液体集合部４がテーパ形になっているため、洗浄液Ｗの集合が強制されるとともに集合された洗浄液Ｗが加圧される。
【００３１】
液体集合部４で集合された洗浄液Ｗは、ノズル口５から幕状に噴射される。このとき、噴射される洗浄液Ｗは、補助ノズル口３によって噴射方向に付勢され液体集合部４によって確実に集合されて加圧されているため、正確な幕状を形成することになる。
【００３２】
以上、図示した形態の外に、供給パイプ１を４角錐筒形以外の角筒形とすることも可能である。
【００３３】
さらに、接続口２を供給パイプ１に複数個取付けることも可能である。また、接続口２を供給パイプ１の他の箇所に取付けることも可能である。
【００３４】
さらに、補助ノズル口３は、供給パイプ１の下面１２の幅方向に複数列に形成されるようにしてもよい。
【００３５】
〔その他の実施形態〕
本発明は、上記の実施形態に限定されるものでなく、特許請求の範囲に記載された発明の要旨を逸脱しない範囲内での種々、設計変更した形態を技術的範囲に含まれるものである。
本発明に係るノズル装置は、食器の洗浄水の噴射以外に各種の液体の噴射に広範に適用され得る。
【符号の説明】
【００３６】
１    供給パイプ
１１  上面
２    接続口
３    補助ノズル口
４    液体集合部
５    ノズル口
Ｗ    洗浄液（液体）
Ｘ    接続口の軸中心線
Ｙ    供給パイプの長さ方向の中央線
【図１】
2010167396.tif 000003
【図２】
2010167396.tif 000004
【図３】
2010167396.tif 000005
【図４】
2010167396.tif 000006